(57)【要約】【課題】イジェクト操作時にディスクをディスク挿入口から容易に取り出すことができるスロットイン方式の「車載用ディスクプレーヤ」を提供する。【解決手段】ディスク挿入口４から挿入されたディスクＤをイジェクト位置とプレイ位置との間で自動搬送するディスク搬送機構と、ディスクＤをプレイ位置でチャッキングして回転駆動するドライブ機構とを備えたスロットイン方式の車載用ディスクプレーヤにおいて、前記ディスク搬送機構を、自在継手１１を介して平面視Ｖ字状に連結された第１のローラ９と第２のローラ１０と、これら両ローラ９，１０の上方に対向配置されたディスクガイ８と、両ローラ９，１０の外側端部を回転可能に支持するローラブラケット１３とで構成すると共に、両ローラ９，１０の連結部分をディスク挿入口４の中央部後方に近接配置した。【選択図】図４
2011018403.tif 000002
【特許請求の範囲】
【請求項１】
前面にディスク挿入口を有する枠体と、前記ディスク挿入口から挿入されたディスクを該ディスク挿入口とプレイ位置との間で自動搬送するディスク搬送機構と、挿入されたディスクを前記プレイ位置でチャッキングして回転駆動するドライブ機構とを備え、前記ディスク搬送機構が、正逆両方向に回転可能なローラと、このローラの上方に対向配置されたディスクガイドとを有し、これらディスクガイドとローラとの間に挟持されたディスクが該ローラの回転駆動力によって自動搬送される車載用ディスクプレーヤにおいて、
前記ローラがディスクの搬送方向に対して互いに逆向きに斜め方向へ延びる第１のローラと第２のローラとからなり、これら第１および第２のローラのそれぞれの一端部どうしが前記ディスク挿入口の中央部近傍で平面視Ｖ字状に連結されていることを特徴とする車載用ディスクプレーヤ。
【請求項２】
前面にディスク挿入口を有する枠体と、前記ディスク挿入口から挿入されたディスクを該ディスク挿入口とプレイ位置との間で自動搬送するディスク搬送機構と、挿入されたディスクを前記プレイ位置でチャッキングして回転駆動するドライブ機構とを備え、前記ディスク搬送機構が、正逆両方向に回転可能なローラと、このローラの上方に対向配置されたディスクガイドとを有し、これらディスクガイドとローラとの間に挟持されたディスクが該ローラの回転駆動力によって自動搬送される車載用ディスクプレーヤにおいて、
ディスクの搬送経路を介して互いに平行に配設した一対の搬送ガイド部材を備えると共に、前記ローラを前記ディスク挿入口の中央部近傍から一方の前記搬送ガイド部材に向かって斜めに設置したことを特徴とする車載用ディスクプレーヤ。
【発明の詳細な説明】
【技術分野】
【０００１】
本発明は、ＣＤやＤＶＤ等のディスクに情報を記録および／または再生する車載用ディスクプレーヤに係り、特に、ディスク挿入口とプレイ位置との間でディスクを自動搬送するスロットイン方式の車載用ディスクプレーヤに関するものである。
【背景技術】
【０００２】
一般的に車載用ディスクプレーヤでは、ディスク挿入口を有する枠体の配設されたドライブシャーシと、ドライブシャーシの上端部に配設されたディスクガイドと、ディスクガイドの下方に揺動可能に配設されたローラブラケットと、ローラブラケットに回転可能に支持されたゴム製のローラとを備え、モータを駆動源としてローラを正逆両方向へ回転駆動することにより、ディスクガイドとローラとの間に挟持されたディスクをイジェクト位置（ディスク挿入口）とプレイ位置との間で自動搬送するようにしたスロットイン方式のディスク搬送機構が広く採用されている（例えば、特許文献１参照）。
【０００３】
このようなディスク搬送機構を備えた車載用ディスクプレーヤにおいて、ディスクが装置本体内に装填されていないイジェクト状態（待機状態）にあるとき、ローラブラケットはスプリングの弾発力を受けてディスクガイドの下面に近接する方向へ付勢されており、ローラブラケットに支持されたローラはディスク挿入口の後方位置でディスクガイドの下面に接触し、または僅かな隙間を介して対向している。かかるイジェクト状態において、ユーザの手動操作によってディスクがディスク挿入口から装置本体内に所定量挿入され、該ディスクの挿入方向の先端部がディスクガイドとローラとの間に入り込んで挟持されると、ディスクはローラの一方向の回転駆動力によって装置本体の内部へと自動搬送される。このようにしてディスクがプレイ位置の上方まで自動搬送されると、ドライブシャーシの奥部に配置された検知レバーがディスクの挿入方向の先端部に押圧されて回動変位し、この検知レバーの回動変位に基づいてモード切換動作が行われる。その結果、ローラブラケットがスプリングの弾発力に抗して下方へ回動し、ローラがディスクガイドの下面から離れると共に、クランパを支持するクランプアームが下方へ回動し、ディスクの中心部がクランパとターンテーブル間にチャッキングされてプレイ状態となる。そして、このプレイ状態において、スピンドルモータを駆動源としてターンテーブルとディスクおよびクランパを一体的に回転駆動すると共に、光ピックアップをディスクの径方向へ移動することにより、ディスクに対する情報の再生動作等が行われる。
【０００４】
また、再生等が完了したディスクを排出（イジェクト）するときには、上記と逆の動作が行われる。この場合、まず下降位置にあるクランプアームが上方へ回動し、クランパとターンテーブルとによるディスクのチャッキング動作が解除された後、ローラブラケットがスプリングの弾発力によって上方へ回動することにより、ディスクがディスクガイドとローラ間に挟持されたイジェクト開始状態となる。しかる後、ローラの他方向の回転駆動力によってディスクがプレイ位置からディスク挿入口に向けて自動搬送され、ディスクの排出方向の後端部がローラから離れる位置まで自動搬送されると、ディスクは当該位置で停止して排出方向の先端部分をディスク挿入口から所定量突出させるため、ユーザはディスク挿入口から突出するディスクを掴んで装置本体から取り出すことができる。
【先行技術文献】
【特許文献】
【０００５】
【特許文献１】特開２００６−９９８３３号公報
【発明の概要】
【発明が解決しようとする課題】
【０００６】
ところで、前述した従来のスロットイン方式の車載用ディスクプレーヤでは、ディスク挿入口に対して平行配置されたローラとその上方に対向配置されたディスクガイドとの間にディスクを挟持し、この状態でローラの回転駆動力によってディスクをプレイ位置の上方まで自動搬送した後、ディスクの挿入方向の先端部で検知レバー等を回動変位させてクランプ動作に移行するようになっているため、ローラの設置位置がプレイ位置に対して離れ過ぎていると、プレイ位置でディスクの搬送力によって検知レバー等を動作させることができなくなる。このような理由からローラはディスク挿入口に対向するドライブシャーシの前端部よりも内方（後方）へ入り込んだ位置に配置されているが、それに伴ってローラとディスク挿入口との間の離反距離が長くなってしまうため、イジェクト操作時にディスク挿入口から突出するディスクの排出量（突出量）が減じられてしまい、ユーザにとってディスクを装置本体から取り出し難いという問題があった。
【０００７】
本発明は、このような従来技術の実情に鑑みてなされたもので、その目的は、イジェクト操作時にディスクをディスク挿入口から容易に取り出すことができるスロットイン方式の車載用ディスクプレーヤを提供することにある。
【課題を解決するための手段】
【０００８】
上記の課題を解決するために、本発明は、ディスク挿入口の中央部近傍から外側部に向かって斜めに設置されたローラを備え、このローラの回転に伴って発生する斜め方向の搬送力のうち、ディスク挿入口と直交する方向に向かう分力を利用して、ディスクがディスク挿入口とプレイ位置との間で自動搬送されるようにした。
【発明の効果】
【０００９】
本発明の車載用ディスクプレーヤは、ディスク挿入口の中央部近傍から外側部に向かって斜めに設置されたローラを備えており、このようなローラによってディスクをディスクガイドとローラ間で挟持して自動搬送できる領域がディスクの搬送経路方向に沿って広がるため、ディスク挿入口から突出するディスクの排出量が多くなるように設定した場合でも、プレイ位置でディスクの搬送力を利用して確実にクランプ動作に移行させることが可能となり、イジェクト操作時にユーザはディスクをディスク挿入口から容易に取り出すことができる。
【図面の簡単な説明】
【００１０】
【図１】本発明の第１実施例に係る車載用ディスクプレーヤの斜視図である。
【図２】該ディスクプレーヤに備えられるドライブユニットの斜視図である。
【図３】該ドライブユニットを裏面側から見た斜視図である。
【図４】ディスクの搬送途中状態を示す説明図である。
【図５】ディスクがプレイ位置まで自動搬送された状態を示す説明図である。
【図６】ローラからディスクに対して発生する搬送力を示す説明図である。
【図７】本発明の第２実施例に係る車載用ディスクプレーヤの説明図である。
【発明を実施するための形態】
【００１１】
本発明の一実施形態例では、前面にディスク挿入口を有する枠体と、前記ディスク挿入口から挿入されたディスクを該ディスク挿入口とプレイ位置との間で自動搬送するディスク搬送機構と、挿入されたディスクを前記プレイ位置でチャッキングして回転駆動するドライブ機構とを備え、前記ディスク搬送機構が、正逆両方向に回転可能なローラと、このローラの上方に対向配置されたディスクガイドとを有し、これらディスクガイドとローラとの間に挟持されたディスクが該ローラの回転駆動力によって自動搬送される車載用ディスクプレーヤにおいて、前記ローラがディスクの搬送方向に対して互いに逆向きに斜め方向へ延びる第１のローラと第２のローラとからなり、これら第１および第２のローラのそれぞれの一端部どうしが前記ディスク挿入口の中央部近傍で平面視Ｖ字状に連結されているという構成にした。
【００１２】
このように構成された車載用ディスクプレーヤでは、平面視Ｖ字状に連結された第１のローラと第２のローラの回転に伴ってディスクを互いに逆向きに斜め方向へ移動させようとする２種類の搬送力が発生し、これら２種類の搬送力のうち、ディスク挿入口と平行な方向の分力どうしはキャンセルされるが、ディスク挿入口と直交する方向の各分力によってディスクをディスク挿入口とプレイ位置との間で自動搬送することができる。これによりディスクをディスクガイドとローラ間で挟持して自動搬送できる領域がディスクの搬送経路方向に沿って広がるため、ディスク挿入口から突出するディスクの排出量が多くなるように設定した場合でも、プレイ位置でディスクの搬送力を利用して確実にクランプ動作に移行させることが可能となり、イジェクト操作時にユーザはディスクをディスク挿入口から容易に取り出すことができるようになる。
【００１３】
また、本発明の他の実施形態例では、前面にディスク挿入口を有する枠体と、前記ディスク挿入口から挿入されたディスクを該ディスク挿入口とプレイ位置との間で自動搬送するディスク搬送機構と、挿入されたディスクを前記プレイ位置でチャッキングして回転駆動するドライブ機構とを備え、前記ディスク搬送機構が、正逆両方向に回転可能なローラと、このローラの上方に対向配置されたディスクガイドとを有し、これらディスクガイドとローラとの間に挟持されたディスクが該ローラの回転駆動力によって自動搬送される車載用ディスクプレーヤにおいて、ディスクの搬送経路を介して互いに平行に配設した一対の搬送ガイド部材を備えると共に、前記ローラを前記ディスク挿入口の中央部近傍から一方の前記搬送ガイド部材に向かって斜めに設置するという構成にした。
【００１４】
このように構成された車載用ディスクプレーヤでは、ローラの回転に伴ってディスクを斜め方向に移動させて搬送ガイド部材に押し当てようとする搬送力が発生し、この搬送力のうち、ディスク挿入口と直交する方向の分力を利用してディスクをディスク挿入口とプレイ位置との間で自動搬送することができる。これによりディスクをディスクガイドとローラ間で挟持して自動搬送できる領域がディスクの搬送経路方向に沿って広がるため、ディスク挿入口から突出するディスクの排出量が多くなるように設定した場合でも、プレイ位置でディスクの搬送力を利用して確実にクランプ動作に移行させることが可能となり、イジェクト操作時にユーザはディスクをディスク挿入口から容易に取り出すことができるようになる。
【実施例】
【００１５】
まず、図１〜図６を参照して本発明の第１実施例に車載用ディスクプレーヤを説明すると、図１に示すように、本実施例に係る車載用ディスクプレーヤは、本体装置の外殻を形成する箱状の枠体１と、この枠体１の内部に収納されたドライブユニット２を備えており、ドライブユニット２は複数のダンパ３や図示せぬスプリングを介して枠体１に弾性支持されている。枠体１の前面板１ａには横長形状のディスク挿入口４が形成されており、枠体１の左右両内壁にはロックピン５が内方へ向かって突設されている。また、前面板１ａには傾斜板１ｂが折曲形成されており、この傾斜板１ｂはディスク挿入口４の下辺中央部から枠体１の内底面に向かって前傾姿勢で延びている。
【００１６】
図２と図３に示すように、ドライブユニット２は合成樹脂製のベース部材６を有しており、このベース部材６の手前側上面には金属製の支持板７がねじ止め固定されている。支持板７の下面には合成樹脂製のガイドトップ８がスナップ結合等によって一体化されており、このガイドトップ８とベース部材６の内底面との間にはディスク挿入口４に対向するディスク搬送空間が画成されている。このディスク搬送空間の内部にはゴム製の第１のローラ９と第２のローラ１０が配設されており、第１および第２のローラ９，１０の各一端部は自在継手１１を介して平面視Ｖ字状に連結されている。本実施例の場合、第２のローラ１０はベース部材６の裏面奥部に配設されたモータ１２の駆動力を受けて回転する駆動側ローラとなっており、第１のローラ９は自在継手１１を介して第２のローラ１０と同期回転する従動側ローラとなっている。ただし、これとは逆に第１のローラ９を駆動側ローラとし、第２のローラ１０を従動側ローラとしても良い。自在継手１１はカルダンジョイントやツェッパジョイント等からなり、この自在継手１１はディスク挿入口４の中央部後方で傾斜板１ｂの真上に位置している。また、第１のローラ９と第２のローラ１０の各他端部はローラブラケット１３の後端部に回転可能に支持されており、ローラブラケット１３の前端部はベース部材６に回動可能に軸支されている。すなわち、第１および第２のローラ９，１０は全体的に１本のローラの中央部をＶ字状に屈曲させた形状をなし、その屈曲部分に設けられた自在継手１１がディスク挿入口４の中央部後方に近接配置されていると共に、その両側部がディスク挿入口４から比較的離れた位置でローラブラケット１３に回転可能に支持されている。
【００１７】
ローラブラケット１３とベース部材６の底面との間には図示せぬスプリングが張架されており、ローラブラケット１３はこのスプリングの弾性力によって第１および第２のローラ９，１０をガイドトップ８の下面に近接する方向へ付勢されている。ローラブラケット１３の後端部には図示せぬピンが設けられており、このピンが後述するスライド部材のカム孔に挿入されることにより、ローラブラケット１３はスライド部材の前後進移動に伴ってピンを中心に回動するようになっている。なお、これらガイドトップ８と第１および第２のローラ９，１０とローラブラケット１３とによってディスク搬送機構が構成されている。
【００１８】
ベース部材６の後壁にはクランプアーム１４の左右後端部が回動可能に軸支されており、このクランプアーム１４の中央部手前側にはクランパ１５が回転可能に支持されている。また、ベース部材６の左右両側壁の外側には合成樹脂製のスライド部材１６が配設されており、これら両スライド部材１６はベース部材６の前後方向（Ｘ１−Ｘ２方向）に移動可能に支持されている。両スライド部材１６はベース部材６の裏面側に配置されたリンク部材１７を介して連結されており、前述したモータ１２を駆動源として一方のスライド部材１６が前後進すると、その動きに同期して他方のスライド部材１６も前後進するようになっている。一方のスライド部材１６の前端部下面には板ばね１８が片持ち状に固着されており、この板ばね１８の先端部には起立片１８ａが直角に折曲形成されている。起立片１８ａはスライド部材１６の前後進に伴って傾斜板１ｂを摺動するようになっており、スライド部材１６が後退位置あって起立片１８ａが傾斜板１ｂの下部に当接しているとき、板ばね１８は図２の実線で示すように弾性変形していないが、スライド部材１６の前進に伴って起立片１８ａが傾斜板１ｂの上部へ乗り上げると、起立片１８ａは上昇して自在継手１１の下面に対向し、板ばね１８は図２の２点鎖線で示すように上側に向けて弾性変形する。
【００１９】
ベース部材６の裏面側にはドライブ機構を構成するスピンドルモータ１９や光ピックアップ２０等が搭載されており、このスピンドルモータ１９の回転軸にはクランパ１５の下面に対向するターンテーブル（図示せず）が固着されている。また、ベース部材６の裏面側には図示せぬ遊星歯車列やロックレバー等で構成される動力切換機構２１が配設されており、この動力切換機構２１によってモータ１２の駆動力が第１および第２のローラ９，１０とスライド部材１６と光ピックアップ２０の各動作のいずれかに切り換えられるようになっている。さらに、ベース部材６の左右両側壁には回動アーム２２が回転可能に支持されており、これら回動アーム２２に突設されたピン２２ａはスライド部材１６に形成された係合孔１６ａに挿入されている。そして、両スライド部材１６の前後進に伴ってピン２２ａが係合孔１６ａ内を移動することにより、回動アーム２２が枠体１の左右両側壁に折曲形成された図示せぬロック板と係脱するようになっている。
【００２０】
なお、スライド部材１６には係合孔１６ａの他にロック溝１６ｂや図示せぬカム孔や突起等が形成されており、両スライド部材１６の前後進に伴ってロック溝１６ｂがロックピン５と係脱することにより、ドライブユニット２を枠体１に対してロック／アンロック状態に切り換えるロック切換機構が動作される。また、両スライド部材１６の前後進に伴ってローラブラケット１３の図示せぬピンが前記カム孔内を相対移動することにより、ローラブラケット１３を回動させて第１および第２のローラ９，１０が昇降動作するようになっている。さらに、両スライド部材１６の前後進に伴って前記突起がクランプアーム１４の両側壁に形成された図示せぬカムと係脱することにより、クランプアーム１４を回動させてクランパ１５がターンテーブルに対して昇降動作するようになっている。
【００２１】
上述のごとく構成された車載用ディスクプレーヤの動作について説明すると、ディスクＤが本体装置に挿入されていないイジェクト時（待機状態）において、両スライド部材１６はベース部材６の手前側の前進位置にあり、これらスライド部材１６のロック溝１６ｂが枠体１のロックピン５に係止すると共に、両スライド部材１６の係合孔１６ａに係合する回動アーム２２が枠体１の図示せぬロック板に当接しているため、ディスク搬送機構やドライブ機構等のメカニズム全体を搭載したドライブユニット２は枠体１に対して固定的に支持されたロック状態となっている。また、かかるイジェクト状態において両スライド部材１６の図示せぬ突起がクランプアーム１４のカムに当接しているため、クランプアーム１４は上方へ回動してクランパ１５がターンテーブルから離反し、両者の間にディスクＤを挿入可能な空間が確保されている。さらに、ローラブラケット１３の図示せぬピンが両スライド部材１６のカム孔の上段位置にあるため、ローラブラケット１３は第１および第２のローラ９，１０を支持した後端側が上昇した前傾姿勢となっており、両ローラ９，１０の外周面は図示せぬスプリングの弾性力を受けてガイドトップ８の下面に圧接されている。このとき、板ばね１８の起立片１８ａは前面板１ａに形成された傾斜板１ｂの上部に乗り上げており、第１および第２のローラ９，１０間を連結する自在継手１１の下方への移動が起立片１８ａによって阻止されているため、第１および第２のローラ９，１０は水平面内でＶ字状姿勢を保ったままガイドトップ８の下面と対向している。
【００２２】
この状態でユーザがディスクＤを摘んでディスク挿入口４から装置本体内に所定量挿入すると、ディスクＤはローラブラケット１３の上方のディスク搬送空間を通って第１および第２のローラ９，１０の連結部分（Ｖ字状の谷部）まで達し、この間にディスクＤの挿入によって図示せぬディスク検知手段が動作されることにより、該ディスク検知手段からの信号に基づいてモータ１２が一方向へ回転し始める。その結果、このモータ１２の駆動力によって第１および第２のローラ９，１０が一方向へ回転し始め、図４に示すように、これら両ローラ９，１０とガイドトップ８との間に挟持されたディスクＤが両ローラ９，１０の回転力によって挿入方向（矢印Ｘ２方向）へ自動搬送される。かかるディスクＤの自動搬送中において、図６に示すように、第１のローラ９からディスクＤに対して該第１のローラ９の軸線と直交する向きに搬送力Ｆ１が発生し、第２のローラ１０からディスクＤに対して該第２のローラ１０の軸線と直交する向きに搬送力Ｆ２が発生する。ここで、ディスク挿入口４と平行な直線をＰとすると、Ｖ字状に連結された第１および第２のローラ９，１０は直線Ｐに対して逆向きに同じ角度θで傾斜しているため、搬送力Ｆ１の直線Ｐに平行な方向の分力Ｆ１ａと搬送力Ｆ２の直線Ｐに平行な方向の分力Ｆ２ａはキャンセル（相殺）され、ディスクＤは搬送力Ｆ１，Ｆ２の直線Ｐと直交する方向の各分力Ｆ１ｂ，Ｆ２ｂによって矢印Ｘ２方向へ自動搬送される。
【００２３】
図５に示すように、このようにしてディスクＤがプレイ位置の上方（ディスクＤの中心孔がターンテーブルとクランパ１５との間となる位置）まで自動搬送されると、ベース部材６の奥部に配置された図示せぬ検知レバーがディスクＤの挿入方向先端側の縁部に押圧されて回動変位し、該検知レバーの回動変位をトリガーとして動力切換機構２１が動作されるため、モータ１２の駆動力が第１および第２のローラ９，１０からスライド部材１６へと切り換えられ、両スライド部材１６がモータ１２を駆動源としてベース部材６の前進位置から後退位置まで移動する。なお、かかるプレイ位置でもディスクＤの挿入方向後端部は第１および第２のローラ９，１０とガイドトップ８との間に挟持されており、第１および第２のローラ９，１０の回転駆動力がディスクＤに作用するようになっているため、ディスクＤの搬送力によって前記検知レバーを確実に回動変位することができる。
【００２４】
このようにして両スライド部材１６が後退方向の末端位置まで移動する間に、両スライド部材１３のロック溝１６ｂがロックピン５から離れると共に、回動アーム２２のピン１４ａがスライド部材１６の係合孔１６ａ内を移動して回動アーム２２と図示せぬロック板の係合が解除されるため、ベース部材６は複数のダンパ３等によって枠体１に弾性的に支持されたアンロック状態となる。また、ローラブラケット１３の図示せぬピンが両スライド部材１６のカム孔の上段位置から下段位置へ移行するため、ローラブラケット１３がスプリングの弾性力に抗して下方へ回動し、しかも、スライド部材１６の後退によって板ばね１８の起立片１８ａが傾斜板１ｂの下部側へ移動して自在継手１１の下面から離れるため、ローラブラケット１３に支持された第１および第２のローラ９，１０は起立片１８ａに邪魔されることなく下降してディスクＤの下面から離れる。また、このタイミングで両スライド部材１６の図示せぬ突起がクランプアーム１４のカムから離れるため、クランパ１５を支持するクランプアーム１４が下方へ回動し、ディスクＤの中心部がクランパ１５とターンテーブル間にクランプされる。さらに、ディスクＤのクランプ動作が完了した時点で動力切換機構２１によって動力伝達経路が切り換えられ、モータ１２の駆動力がスライド部材１６から光ピックアップ２０へ切り換えられてプレイ状態となる。そして、このプレイ状態において、スピンドルモータ１９を駆動してターンテーブルとディスクＤおよびクランパ１５を一体的に回転駆動すると共に、モータ１２の駆動力によって光ピックアップ２０をディスクＤの径方向へ移動することにより、ディスクＤに対する情報の再生動作等が行われる。
【００２５】
また、再生等が完了したディスクＤを排出（イジェクト）するときには、図示せぬイジェクト釦を投入してモータ１２を他方向へ回転させることにより、上記と逆の動作が行われる。この場合、まず下降位置にあるクランプアーム１４が上方へ回動してクランパ１５とターンテーブルとによるディスクＤのチャッキング動作が解除された後、ローラブラケット１３がスプリングの弾性力によって上方へ回動することにより、ディスクＤがガイドトップ８と第１および第２のローラ９，１０間に挟持されたイジェクト開始状態となる。しかる後、モータ１２を駆動源として第１および第２のローラ９，１０を他方向へ回転することにより、ディスクＤが図５に示すプレイ位置からディスク挿入口４に向けて排出方向（矢印Ｘ１方向）へ自動搬送され、ディスクＤの排出方向の後端部が図４に示す位置からディスク挿入口４側へさらに近付くと、当該位置でディスクＤは第１および第２のローラ９，１０からの回転駆動力が遮断されて停止する。その際、第１および第２のローラ９，１０の連結部分（自在継手１１）がディスク挿入口４の中央部後方の近接位置に配置されているため、ディスク挿入口４から突出するディスクＤの突出量（排出量）は増加したものとなり、ユーザはディスクＤを掴み易くなって装置本体から容易に取り出すことができる。
【００２６】
なお、このようにディスクＤが排出方向へ自動搬送されるとき、第１および第２のローラ９，１０からディスクＤに対して図６の矢印Ｆ１，Ｆ２と１８０度逆向きの搬送力がそれぞれ発生するが、この場合も両搬送力のディスク挿入口４と平行な方向の分力どうしはキャンセルされるため、ディスクＤは両搬送力のディスク挿入口４と直交する方向の各分力によって矢印Ｘ１方向へ自動搬送される。
【００２７】
このように本実施例に係る車載用ディスクプレーヤでは、自在継手１１を介して平面視Ｖ字状に連結された第１のローラ９と第２のローラ１０をディスク搬送用ローラとして用い、これら第１および第２のローラ９，１０の連結部分をディスク挿入口４の中央部後方に近接配置したので、第１のローラ９と第２のローラ１０の回転に伴ってディスクＤを互いに逆向きに斜め方向へ移動させようとする２種類の搬送力Ｆ１，Ｆ２が発生し、これら搬送力Ｆ１，Ｆ２のうち、ディスク挿入口４と直交する方向の各分力Ｆ１ｂ，Ｆ２ｂによってディスクＤをイジェクト位置とプレイ位置との間で自動搬送することができる。これによりディスクＤをガイドトップ８と第１および第２のローラ９，１０間で挟持して自動搬送できる領域がディスクの搬送経路方向（矢印Ｘ１−Ｘ２方向）に沿って広がるため、ディスク挿入口４から突出するディスクＤの排出量が増加するようにした場合でも、プレイ位置でディスクＤの搬送力を利用して確実にクランプ動作に移行させることが可能となり、イジェクト操作時にユーザがディスクＤを掴み易くなって装置本体から容易に取り出すことができる。
【００２８】
次に、本発明の第２実施例に車載用ディスクプレーヤを図７を参照して説明する。なお、図７において、図１〜図６に対応する部分には同一符号を付すことにより、重複する説明は適宜省略してある。
【００２９】
図７に示すように、本実施例が前述した第１実施例と相違する点は、ベース部材６の左右両側壁の内側にディスクの搬送経路を介して対向する合成樹脂製の搬送ガイド部材２３，２４を設けると共に、ディスク挿入口４の中央部後方から一方の搬送ガイド部材２４に向かってローラ２５を斜めに設置したことにあり、それ以外の構成は基本的に同じである。すなわち、本実施例の場合は、第１実施例で用いたＶ字状の２本ローラの一方を削除して他方を１本のローラ２５とし、その代わりにディスクの搬送経路の左右両側に一対の搬送ガイド部材２３，２４を付加した構造となっている。なお、図７中には図示されているが、ドライブユニット２の手前位置にはガイドトップとローラブラケットが配設されており、これらガイドトップとローラブラケットおよびローラ２５によってディスク搬送機構が構成されている。そして、ローラ２５の一端部はディスク挿入口４の中央部後方の近接位置でローラブラケット１３に回転可能に支持されており、ローラ２５の他側部はディスク挿入口４から比較的離れた位置でローラブラケット１３に回転可能に支持されている。
【００３０】
本実施例に係る車載用ディスクプレーヤにおいては、ディスクＤが矢印Ｘ２方向へ自動搬送されるとき、ローラ２５からディスクＤに対して該ローラ２５の軸線と直交する向きに図６のＦ１と同様の斜め方向の搬送力が発生し、この搬送力のディスク挿入口４と平行な方向の分力（図６のＦ１ａ）よってディスクＤは図示左側の搬送ガイド部材２３に押し付けられるため、ディスクＤは搬送ガイド部材２３に案内されながら搬送力のディスク挿入口４と直交する方向の分力（図６のＦ１ｂ）によってプレイ位置へと自動搬送される。その反対にディスクＤが矢印Ｘ１方向へ自動搬送されるとき、ローラ２５からディスクＤに対して発生する斜め方向の搬送力のうち、ディスク挿入口４と平行な方向の分力よってディスクＤは図示右側の搬送ガイド部材２４に押し付けられるため、ディスクＤはこの搬送ガイド部材２４に案内されながら搬送力のディスク挿入口４と直交する方向の分力によってイジェクト位置へと自動搬送される。
【００３１】
このように本実施例に係る車載用ディスクプレーヤでは、ディスク搬送経路を介して対向する一対の搬送ガイド部材２３，２４をディスクＤの搬送方向に沿って配設すると共に、１本のローラ２５をディスク挿入口４の中央部近傍から一方の搬送ガイド部材２４に向かって斜めに設置したので、ローラ２５の回転に伴ってディスクＤを斜め方向に移動させていずれか一方の搬送ガイド部材２３，２４に押し当てようとする搬送力が発生し、この搬送力のうち、ディスク挿入口４と直交する方向の分力を利用してディスクＤをイジェクト位置とプレイ位置との間で自動搬送することができる。これによりディスクＤをガイドトップとローラ２５間で挟持して自動搬送できる領域がディスクの搬送経路方向（矢印Ｘ１−Ｘ２方向）に沿って広がるため、ディスク挿入口４から突出するディスクＤの排出量が増加するようにした場合でも、プレイ位置でディスクＤの搬送力を利用して確実にクランプ動作に移行させることが可能となり、イジェクト操作時にユーザがディスクＤを掴み易くなって装置本体から容易に取り出すことができる。また、１本のローラ２５の両端部をローラブラケットに回転可能に支持することができるため、ガイドトップとローラブラケットおよびローラ２５によって構成されるディスク搬送機構を簡素化することができる。
【符号の説明】
【００３２】
１  枠体
１ａ  前面板
１ｂ  傾斜板
２  ドライブユニット
４  ディスク挿入口
６  ベース部材
８  ガイドトップ
９  第１のローラ
１０  第２のローラ
１１  自在継手
１２  モータ
１３  ローラブラケット
１４  クランプアーム
１５  クランパ
１６  スライド部材
１７  リンク部材
１８  板ばね
１８ａ  起立片
１９  スピンドルモータ
２０  光ピックアップ
２１  動力切換機構
２３，２４  搬送ガイド部材
２５  ローラ
【図１】
2011018403.tif 000003
【図２】
2011018403.tif 000004
【図３】
2011018403.tif 000005
【図４】
2011018403.tif 000006
【図５】
2011018403.tif 000007
【図６】
2011018403.tif 000008
【図７】
2011018403.tif 000009